(57)【要約】【課題】風呂専用の指圧具付風呂用衣類であり、必要なツボに指圧具が当たるように設定できると共に、温水の温度（４０℃前後）によりゲルマニュームが加熱されることにより、より多くのマイナスイオン及び遠赤外線を放射させることができ、より内部に浸透し、生体電流を整え、コリや痛みを解消し、自然治癒力のアップ、免疫力を高める等の種々の効果を有する指圧具付風呂用衣類を提供する。【解決手段】風呂用衣類に指圧具を着脱自在に設けてなることを特徴とする。【選択図】  図１
2004216094.tif 000002
【特許請求の範囲】
【請求項１】
風呂用衣類に指圧具を着脱自在に設けてなることを特徴とする指圧具付風呂用衣類。
【請求項２】
風呂用衣類の内側の適所に凸凹シートを貼り付けてなることを特徴とする請求項１記載の指圧具付風呂用衣類。
【請求項３】
風呂用衣類の材質が、防水性を有してなることを特徴とする請求項１又は２記載の指圧具付風呂用衣類。
【請求項４】
指圧具が、表面にゲルマニュームによる指圧材を設けると共に、裏面に凸凹シートに着脱自在に取り付ける着脱部を設けてなる形態であることを特徴とする請求項１、２又は３記載の指圧具付風呂用衣類。
【請求項５】
風呂用衣類を各部位に分割し、着脱自在に形成してなることを特徴とする請求項１、２、３又は４記載の指圧具付風呂用衣類。
【発明の詳細な説明】
【０００１】
【発明の属する技術分野】
本発明は、風呂用衣類に指圧具を設けたもので、特に入浴中において湯温によって加熱された指圧材によって、ツボ指圧効果、イオン浸透効果を有し、人の健康の維持増進させる補助としての指圧具付風呂用衣類に関するものである。
【０００２】
【従来の技術】
従来の技術としては、貫通孔を具える磁気部材と該磁気部材を下着あるいはその類似物の内側に着脱自在に固定する止着部材とからなり、該止着部材は、止板の内側に、下着あるいはその類似物の所要部位および磁気部材の前記貫通孔を挿通しかつ先端部に貫通孔の内側縁部と係合しうる弾性圧縮可能な抜止め用の係止突部を具える軸材を突設してなることを特長とする磁気治療器がある。（特許文献１参照）
【０００３】
また、別の従来の技術としては、互いに係合する雄雌一対の部材をもって構成し、雄部材を磁性を有する磁石体となした所に特長となした点である。ここで雄雌一対の部材の係合形成は雄部材に係合用の凸出針を形成して布地を貫通する役目を果し、雌部材に前記凸出針を係合し得る係合孔を形成せしめ雄部材の凸出針を挿入し、係止せしめ、抜き取る時は、係止装置を作動させ抜き取る機構となす、がある。（特許文献２参照）
【０００４】
【特許文献１】
実開昭６２−１５３５５号公報（実用新案登録請求の範囲、第２図）
【特許文献２】
特開平７−２９７２５号公報（請求項１、図１、図２）
【０００５】
【発明が解決しようとする課題】
上記前者の磁気治療器においては、下着等に貫通孔を設け、磁気部材を取り付けるものであるが、下着等に孔があくのが、まず問題となる。
また、下着や一般的な服に使用されるものであり、風呂用として使用できるものではない。
【０００６】
また、上記後者の着脱自在な磁石体においては、雄部材の挿入された凸出針を係止又は抜き取りできるものであるが、やはり衣類に孔があいてしまい問題となる。
さらに、構造が複雑で、故障しやすく、風呂の中で使用するとサビ等の問題が発生し、使用できなくなる恐れがある。
【０００７】
上記各従来技術は、風呂で使用するものでなく、また磁石に限定しており、ゲルマニュームについては何も記載されていない。
さらに、体温以上の温度が付加できないため、効果が薄いものである。
【０００８】
本発明は、上記の問題点に鑑みなされたもので、風呂専用の指圧具付風呂用衣類であり、必要なツボに指圧具が当たるように設定できると共に、温水の温度（４０℃前後）によりゲルマニュームが加熱されることにより、より多くのマイナスイオン及び遠赤外線を放射させることができ、より内部に浸透し、生体電流を整え、コリや痛みを解消し、自然治癒力のアップ、免疫力を高める等の種々の効果を有する指圧具付風呂用衣類を提供するものである。
【０００９】
【課題を解決するための手段】
上記課題を解決するための手段として、風呂用衣類に指圧具を着脱自在に設けてなること。また、風呂用衣類の内側の適所に凸凹シートを貼り付けてなること。さらに、風呂用衣類の材質が、防水性を有してなること。さらにまた、指圧具が、表面にゲルマニュームによる指圧材を設けると共に、裏面に凸凹シートに着脱自在に取り付ける着脱部を設けてなる形態であること。その上、風呂用衣類を各部位に分割し、着脱自在に形成してなることを特徴とする。
【００１０】
【発明の実施の形態】
以下、本発明の指圧具付風呂用衣類について図面に基づいて説明する。
指圧具付風呂用衣類１は、上下に分割した風呂用衣類２・３の内側に肩部・腰部・足部・腕部等のツボに対応する位置に凸凹シート４を貼り付けると共に、凸凹シート４の表面に指圧具５を着脱自在に設けてなるものである。
なお、凸凹シート４及び指圧具５の取り付け位置や数、方向等は必要に応じて設定すればよい。
【００１１】
上記風呂用衣類２・３の材質は防水性を有する材質（例えば、ナイロンやポリエステル等）が望ましく、水圧が直接ツボを押圧し、サウナ感覚でマッサージ効果を得ることができる。
上記凸凹シート４は、表面を凸凹状にしてなるもので、特に材質は限定しない。
上記指圧具５は、円形板５ａの裏面に凸凹状の着脱面５ｂを設けると共に、表面にゲルマニュームによる指圧材５ｃを突設してなる。
【００１２】
上記指圧具付風呂用衣類１の使用例について下記に述べる。
まず、使用者（図示せず）が上下の風呂用衣類２・３を着て、風呂（図示せず）に入る。
この状態で、水圧Ｓにより指圧具５が押圧され指圧材５ｃがツボＴを押圧する。
つまり、指圧効果に加え、ゲルマニュームによる指圧材５ｃが加熱されることにより、より多くのマイナスイオン及び遠赤外線を放射させることができ、より内部に浸透し、生体電流を整え、コリや痛みを解消し、自然治癒力のアップ、免疫力を高めることができるものである。
また、発汗作用によりダイエット効果も期待できる。
【００１３】
つぎに、他の実施例を説明する。
指圧具付風呂用衣類２１は、風呂用上衣類２２を各部位（この実施例の場合、腕と首と胴体）に分割し、凸凹テープＴＰにて着脱自在に形成してなるもので、必要な部位のみ選定して使用できるものである。
なお、風呂用下衣類（図示せず）も同様に分割すればよい。
また、凸凹テープＴＰにて着脱自在に形成しているが、他の方法で着脱自在に形成してもよい。
【００１４】
上記各実施例において、風呂用衣類に取り付ける指圧具の数や位置は必要に応じて設定すればよく、指圧効果を上げるため風呂の内面に押し付けて使用するとより効果的である。
また、風呂用衣類の材質は防水性を有するものが望ましいが、他の材質のものも使用できるし、頭用（フード付等）も一考である。
さらに、風呂用衣類の分割部位も、必要に応じて決定すればよい。
さらにまた、風呂用衣類全体を凸凹シートで製作してもよく、全体に指圧具を設けることもできるし、風呂のみに使用するのではなく、遠赤外線温風器等に当てて室内で使用することもできる。
【００１５】
【発明の効果】
（１）、上記指圧具付風呂用衣類によれば、風呂専用の指圧具付風呂用衣類を着て、風呂に入ることにより、水圧にて指圧具が押圧され、ツボを刺激し、風呂内で位置を変更してもマッサージ効果を得ることができる。
（２）、凸凹シートを所要位置に設け、指圧具を必要個数取り付けることにより、必要なツボを押圧することができ、目的に応じた効果を得ることができる。
（３）、風呂用衣類を防水性とすることにより、発汗作用が促進され、サウナ感覚で指圧効果を得ることができる。
（４）、指圧具にゲルマニュームによる指圧材を使用することにより、入浴中における湯温（約４０℃前後）によって加熱され、ツボ指圧効果に加え、イオン浸透効果等によりコリや痛みを解消し、健康維持に役立つものである。
（５）、風呂用衣類を各部位に分割することにより、必要な部位のみ選定して使用できる。
【図面の簡単な説明】
【図１】本発明の第１実施例を示す指圧具付風呂用衣類の正面図。
【図２】本発明の第１実施例を示す指圧具付風呂用衣類の指圧具と凸凹シートの平面図。
【図３】本発明の第１実施例を示す指圧具付風呂用衣類の指圧具と凸凹シートの正面図。
【図４】本発明の第１実施例を示す指圧具付風呂用衣類の使用状態図。
【図５】本発明の第２実施例を示す指圧具付風呂用衣類の上風呂用衣類の正面図。
【符号の説明】
１―――指圧具付風呂用衣類
２―――風呂用衣類
３―――風呂用衣類
４―――凸凹シート
５―――指圧具
【図１】
2004216094.tif 000003
【図２】
2004216094.tif 000004
【図３】
2004216094.tif 000005
【図４】
2004216094.tif 000006
【図５】
2004216094.tif 000007